(57)【要約】      （修正有）【課題】締結状態の異常検知を容易に行うことができ、かつ簡易な構成の締結具を提供する。【解決手段】側面１３に窪みである有底の穴５，７が刻設されている本体部３と、穴５，７に配置される所定の情報を報知するための報知手段と、を備える。報知手段は、所定の液体、所定の気体、及び、締結状態のうち、少なくともいずれか一つを検知する部材である感水材９である。側面１３には、穴５，７が互いに離間して複数設けられている。本体部３に螺刻されている雌ねじ部を有するナット１、螺刻されている雄ねじ部が本体部３に連結されているボルト、又は、それらの組み合わせた締結具として構成する。【選択図】図１
0003187710.tif 000002
【実用新案登録請求の範囲】
【請求項１】
側面に窪みが設けられている本体部と、
前記窪みに配置される所定の情報を報知するための報知手段と、を備えることを特徴とする締結具。
【請求項２】
前記報知手段は、所定の液体、所定の気体、及び、締結状態のうち、少なくともいずれか一つを検知する部材であることを特徴とする請求項１に記載の締結具。
【請求項３】
前記側面には、前記窪みが互いに離間して複数設けられていることを特徴とする請求項１又は請求項２に記載の締結具。
【請求項４】
前記本体部は、正面視で多角形状であり、前記側面のそれぞれの面には、前記窪みが１以上設けられていることを特徴とする請求項１乃至請求項３のうち、いずれか１に記載の締結具。
【請求項５】
前記本体部は、正面視で多角形状であり、前記側面のそれぞれの面には前記窪みが２以上設けられており、同じ面に設けられた前記２以上の前記窪みのうち、少なくとも１の窪みには第１の所定の情報を報知するための第１報知手段が配置され、他の窪みには前記第１の所定の情報とは異なる第２の所定情報を報知するための第２報知手段が配置されていることを特徴とする請求項１乃至請求項４のうち、いずれか１に記載の締結具。
【請求項６】
前記本体部は、正面視で多角形状であり、前記側面のそれぞれの面には前記窪みが２以上設けられており、同じ面に設けられた前記２以上の前記窪みのうち、少なくとも１の窪みには蛍光材又は光反射材が配置され、他の窪みには蓄光材が配置されていることを特徴とする請求項１乃至請求項５のうち、いずれか１に記載の締結具。
【請求項７】
前記窪みは、円形状の穴、四角形状の穴、及び、帯状の溝のうち、少なくともいずれか一つであることを特徴とする請求項１乃至請求項６のうち、いずれか１に記載の締結具。
【請求項８】
請求項１乃至請求項７のうち、いずれか１に記載の締結具は、前記本体部に螺刻されている雌ねじ部を有するナット、螺刻されている雄ねじ部が前記本体部に連結されているボルト、又は、それらの組み合わせであることを特徴とする締結具。
【考案の詳細な説明】
【技術分野】
【０００１】
本考案は、報知手段を備える締結具に関するものである。
【背景技術】
【０００２】
被締結部材である部材同士を締結するためにボルト及びナット、ねじ等の種々の締結具が用いられている（例えば、特許文献１参照）。締結具は、定められた通りに正確に被締結部材に取り付けることはもちろんのこと、被締結部材に装着されている締結具を所定の締結状態に維持することが重要であるので、締結具を保守点検する者が定期的に締結状態を確認することは、その締結具の所期の目的を達成するために不可欠な作業となる。
【先行技術文献】
【特許文献】
【０００３】
【特許文献１】特開平１０−２２０４３２号公報
【考案の概要】
【考案が解決しようとする課題】
【０００４】
しかし、従来の締結具は、飽くまでも被締結部材を締結することを目的とする固定具としてのみの役割に留まっている。従って、締結具及びその締結状態に異常があるか否かの判別は、目視により、又は、検査用ハンマーで締結具を叩いて発生する音により、検査員が確認する等、保守点検に長期に亘って従事する熟練者が会得できる技能に頼らざるを得ない。また、締結具が緩むことにより生ずる締結具又はその近傍からの液漏れやガス漏れなどは、その締結具の近傍に設置される液漏れ検知装置又はガス漏れ検知装置などにより行われている。
【０００５】
本考案は、かかる事情に鑑みてなされたものであり、締結具の緩みといった締結状態の異常検知を容易に行うことができ、かつ簡易な構成の締結具を提供することである。
【課題を解決するための手段】
【０００６】
本考案の締結具は、側面に窪みが刻設されている本体部と、前記窪みに配置される所定の情報を報知するための報知手段と、を備えることを特徴とする。
【０００７】
また、本考案の締結具において、前記報知手段は、所定の液体、所定の気体、及び、締結状態のうち、少なくともいずれか一つを検知する部材であることを特徴とする。
【０００８】
また、本考案の締結具において、前記側面には、前記窪みが互いに離間して複数設けられていることを特徴とする。
【０００９】
また、本考案の締結具において、前記本体部は、正面視で多角形状であり、前記側面のそれぞれの面には、前記窪みが１以上設けられていることを特徴とする。
【００１０】
また、本考案の締結具において、前記本体部は、正面視で多角形状であり、前記側面のそれぞれの面には前記窪みが２以上設けられており、同じ面に設けられた前記２以上の前記窪みのうち、少なくとも１の窪みには第１の所定の情報を報知するための第１報知手段が配置され、他の窪みには前記第１の所定の情報とは異なる第２の所定情報を報知するための第２報知手段が配置されていることを特徴とする。
【００１１】
また、本考案の締結具において、前記本体部は、正面視で多角形状であり、前記側面のそれぞれの面には前記窪みが２以上設けられており、同じ面に設けられた前記２以上の前記窪みのうち、少なくとも１の窪みには蛍光材又は光反射材が配置され、他の窪みには蓄光材が配置されていることを特徴とする。
【００１２】
また、本考案の締結具において、前記窪みは、円形状の穴、四角形状の穴、及び、帯状の溝のうち、少なくともいずれか一つであることを特徴とする。
【００１３】
また、本考案の締結具は、上記いずれか１の締結具であって、前記本体部に螺刻されている雌ねじ部を有するナット、螺刻されている雄ねじ部が前記本体部に連結されているボルト、又は、それらの組み合わせであることを特徴とする。
【考案の効果】
【００１４】
本考案の締結具は、その本体部に設けられている窪みに報知手段を配置するという簡易な構成により、締結具を検査する者が、報知手段により締結具や締結状態の異常を容易に検知することができる。
【図面の簡単な説明】
【００１５】
【図１】（ａ）は、第１実施形態に係るナットの正面図であり、（ｂ）は、第１実施形態に係るナットの側面図である。
【図２】第２実施形態に係るボルトの斜視図である。
【図３】第３実施形態に係るナットの斜視図である。
【図４】第４実施形態に係るナットの斜視図である。
【図５】（ａ）は、第５実施形態に係るナットの斜視図であり、（ｂ）は、第６実施形態に係るボルトの斜視図である。
【図６】（ａ）は、第７実施形態に係るナットの斜視図であり、（ｂ）は、第８実施形態に係るボルトの斜視図である。
【図７】（ａ）は、第９実施形態に係るナットの斜視図であり、（ｂ）は、第１０実施形態に係るボルトの斜視図である。
【考案を実施するための形態】
【００１６】
以下に、本考案の締結具に係る実施形態について図面を参照しつつ説明する。なお、この実施形態により本考案が限定されるものではない。
【００１７】
〔第１実施形態〕
図１（ａ）は、第１実施形態に係るナット１の正面図であり、図１（ｂ）は、第１実施形態に係るナット１の側面図である。
【００１８】
本実施形態では、側面に窪みが設けられている本体部と、前記窪みに配置される所定の情報を報知するための報知手段と、を備える締結具としてのナット１を説明する。
図１（ａ）に示すように、ナット１は、側面１３に窪みである有底の穴５、７が設けられている本体部３と、穴５、７に配置される、ナット１の締結状態等を検査する者に所定の情報を報知するための報知手段、例えば所定の液体に反応し変色する感水材９とを備える。
【００１９】
本実施形態のナット１は、側面１３に、互いに離間した複数の窪み（穴５、７）が設けられている。また、本体部３は、正面視で多角形状であり、側面１３のそれぞれの面には、窪みが１以上設けられている。本体部３は、図１（ａ）に示されるように、平面視で六角形であり、図１（ｂ）に示されるように、その六角形を構成する側面１３のそれぞれの面には、側面視で円形状の一対の窪みである穴５、７が設けられている。
【００２０】
感水材９により、ナット１の周辺で生じている水漏れや、ナット１が配置されている環境が高湿度に達していることを検出できるので、検査する者は、感水材９が反応したナット１を発見し易くなり、特に締結状態について点検の必要性が高いナットであることを注意喚起することができる。
【００２１】
６つの側面１３総てに感水材９を配置することにより、ナット１の本体部３の向きによらず、検査する者が容易に感水材９の変色を視認できる。なお、本実施形態において、６つの側面１３それぞれに設けられている穴５、７は、一例として、いずれも所定の深さ寸法ｄを有し、互いに同一寸法、同一形状とすればよいが、特に限定されない。
【００２２】
このように、穴５、７内に感水材９を配置することにより、例えば、本体部３の側面１３をソケットレンチ等の締め付け用工具により装着して、被締結部材に固定する場合であっても、報知手段が本体部３から脱落することや剥離することや、摩耗により劣化することを防止できる。
【００２３】
また、本体部３には、中心軸心ｘ方向に本体部３を貫通し、内周面が螺刻されている雌ねじ部１５を有する。従って、ナット１は、ボルトに螺刻されている雄ねじ部（図２参照。）等と螺合することで、被締結部材を締結できる。
【００２４】
〔第２実施形態〕
締結具の第２実施形態に係るボルト５１について図２を参照しつつ説明する。図２は、第２実施形態に係るボルト５１の斜視図である。ボルト５１は、本体部５３と、本体部５３からその中心軸心ｘ方向に延びる雄ねじ部７１と、を備える。本体部５３は、第１実施形態のナット１の本体部３と同様に、各側面６３に、一対の窪みである有底の穴５５、５７と、穴５５、５７に配置される感水材（図示せず）とを備える。また、穴５５、５７は、第１実施形態と同様に所定深さを有し、互いに同一寸法及び同一形状とすればよいが、特に限定されるものではない。雄ねじ部７１が、例えば、第１実施形態に係るナット１の本体部３の雌ねじ部１５に螺合することにより、被締結部材を締結できる。なお、その他の構成及び効果は、第１実施形態と同様である。
【００２５】
〔第３実施形態〕
締結具の第３実施形態について図３を参照しつつ説明する。図３は、第３実施形態に係るナット１０１の斜視図である。なお、ナット１０１の構成を明確に示すために、報知手段は図中から省略している。第３実施形態に係るナット１０１の窪みである穴は、第１実施形態に係るナット１の穴５、７とは異なり、側面視で矩形状の有底の穴１０５である。ナット１０１のその他の形状、寸法は、第１実施形態に係るナット１と同じである。
【００２６】
さらに、本実施形態では、単一の穴１０５を本体部１０３に設ける構成であるが、ナット１０１の使用用途に応じて、一つの側面１１３に複数の矩形状の穴１０５を設け、それぞれ異なる報知手段を配置することも可能である。なお、その他の構成及び効果は、第１の実施形態と同様である。
【００２７】
〔第４実施形態〕
第４実施形態に係る締結具について図４を参照しつつ説明する。図４は、第４実施形態に係るナット２０１の斜視図である。なお、ナット２０１の構成を明確に示すために、報知手段は図中から省略している。第４実施形態に係るナット２０１の窪みは、第３実施形態に係るナット１０１と異なり、側面視で左右方向（中心軸心ｘに直交する方向）に延びる溝２０５である。各側面２１３に設けられている溝２０５の両端部は、六角形状を構成する総ての側面２１３に亘り、互いに接続されている。
【００２８】
さらに、本実施形態では、単一の溝２０５を本体部２０３に設ける構成であるが、ナット２０１の使用用途に応じて、複数の溝を中心軸心ｘ方向に関し互いに離間配置し、それぞれ異なる報知手段を配置することも可能である。
【００２９】
〔その他の実施形態〕
以下に、本考案に係る締結具のその他の実施形態について図面を参照しつつ説明する。図５（ａ）は、第５実施形態に係るナット３０１の斜視図、図５（ｂ）は、第６実施形態に係るボルト３５１の斜視図、図６（ａ）は、第７実施形態に係るナット４０１の斜視図、図６（ｂ）は、第８実施形態に係るボルト４５１の斜視図、図７（ａ）は、第９実施形態に係るナット５０１の斜視図、図７（ｂ）は、第１０実施形態に係るボルト５５１の斜視図である。
【００３０】
図５（ａ）に示すように、第５実施形態のナット３０１では、正面視で三角形状の本体部３０３を構成する側面３１３に、一対の同形状、同寸法の窪みである有底の穴３０５、３０７が設けられている。さらに、穴３０５、３０７には、第１実施形態と同様に報知手段である感水材が配置される。ナット３０１のその他の構成及び効果は、第１実施形態のナット１と同じである。
【００３１】
図５（ｂ）に示すように、第６実施形態のボルト３５１では、第５実施形態と同様に、正面視で三角形状の本体部３５３を構成する側面３６３に、一対の同形状、同寸法の窪みである有底の穴３５５、３５７が設けられている。さらに、穴３５５、３５７には、第１実施形態と同様に報知手段である感水材が配置される。ボルト３５１のその他の構成及び効果は、第２実施形態のボルト５１と同じである。
【００３２】
図６（ａ）に示すように、第７実施形態のナット４０１では、正面視で四角形状の本体部４０３を構成する側面４１３に、一対の同形状、同寸法の窪みである有底の穴４０５、４０７が設けられている。さらに、穴４０５、４０７には、第１実施形態と同じ報知手段である感水材が配置される。ナット４０１のその他の構成及び効果は、第１実施形態のナット１と同じである。
【００３３】
図６（ｂ）に示すように、第８実施形態のボルト４５１では、第７実施形態と同様に、正面視で四角形状の本体部４５３を構成する側面４６３に、一対の同形状、同寸法の窪みである有底の穴４５５、４５７が設けられている。さらに、穴４５５、４５７には、第１実施形態と同様に報知手段である感水材が配置される。ボルト４５１のその他の構成及び効果は、第２実施形態のボルト５１と同じである。
【００３４】
図７（ａ）に示すように、第９の実施形態のナット５０１では、正面視で円形状の本体部５０３を構成する側面５１３に、一対の同形状、同寸法の窪みである有底の穴５５５、５５７が、周方向に等間隔で複数設けられている。さらに、穴５５５、５５７には、前述の報知手段が配置される。ナット５０１のその他の構成及び効果は、第１実施形態のナット１と同じである。
【００３５】
図７（ｂ）に示すように、第１０実施形態のボルト５５１では、第９の実施形態と同様に、正面視で円形状の本体部５５３を構成する側面５６３には、一対の同形状、同寸法の窪みである穴５５５、５５７が設けられている。さらに、穴５５５、５５７には、第１実施形態と同様に報知手段である感水材が配置される。
【００３６】
なお、本体部５５３の上面５６４には、ボルト５５１を締結するためのプラスドライバを装着するためのプラス形状の溝が設けられている。ボルト５５１のその他の構成及び効果は、第２実施形態のボルト５１と同じである。
【００３７】
上記した第１乃至第１０実施形態では、報知手段として、感水材を配置する例を示したが、本考案は感水材に限定されず、所定の気体に反応して変色する気体反応材や、締結具が配置されてから所定の期間過ぎた場合に変色する経年変化材や、締結具の緩みの感知、固有情報の保存等を行うためのＩＣタグや、締結具の存在を知らせるための蛍光材及び蓄光夜光材や、締結具の寸法に応じて異なる色の着色部材等を利用することも可能である。また、上記第１、第２、第５乃至第１０実施形態では、一の側面に２つの穴を備えるので、一方の穴に蛍光材を配置し、他方の穴に蓄光夜光材を配置することにより、昼夜を問わず締結具の存在を知らせることができる。
【００３８】
さらに、第３及び第４実施形態における穴１０５や溝２０５を、第５乃至第１０実施形態の本体部に設け、その穴又は溝に報知手段を配置することも可能である。
【００３９】
本考案に係る締結具は、（１）上記実施形態のボルト及びナットを互いに組み合わせる構成、（２）実施形態に係るボルトと、報知手段を具備しないナットとを組み合わせる構成、（３）実施形態に係るナットと、報知手段を具備しないボルトとを組み合わせる構成とすることも可能である。
【００４０】
さらに、上記実施形態では、窪みの形状が、円形や矩形を採用しているが特に限定されるものではなく、楕円やその他の多角形状とすることも可能である。また、窪みの数や寸法を適宜変更できることは言うまでもない。さらに、締結具の正面視の形状は、上記第１乃至第１０実施形態の形状に限定されず、任意の多角形状や楕円形等、締結具の使用用途に応じて適宜変更できる。同様に、第１乃至第８実施形態では、本体部を構成する側面の総てに窪みを設ける構成であるが、締結具の使用用途に応じて、窪みを設ける側面を任意に選択できる。また、上記実施形態の締結具は、螺合可能なナット及びボルトであるが、ねじ部を備えない構成の締結具にも本考案は適用可能である。さらに、ナット若しくはボルトの使用用途に応じて、一つの側面に設けられ、報知手段が装着される窪みの数や寸法を変更できる。
【００４１】
また、本考案に係る締結具は、正面視で多角形状である本体部の側面において、側面のそれぞれの面に窪みを２以上設け、同じ面に設けられた前記２以上の窪みのうち、少なくとも１の窪みには第１の所定の情報（例えば、水漏れ）を報知するための第１報知手段（例えば、感水材）を配置し、他の窪みには前記第１の所定の情報とは異なる第２の所定情報（例えば、所定のガス漏れ）を報知するための第２報知手段（例えば、気体反応材）を配置するように構成してもよい。水漏れ及びガス漏れのように異なる情報の検出を、本体部の側面の１面ごとで実現することができ、保守効率の向上を図ることが可能となる。
【００４２】
また、本考案に係る締結具は、正面視で多角形状である本体部の側面において、側面のそれぞれの面に窪みを２以上設け、同じ面に設けられた前記２以上の窪みのうち、少なくとも１の窪みには蛍光材又は光反射材を配置し、他の窪みには蓄光材を配置するように構成してもよい。このように構成することにより、保守をする者に、昼夜を問わず、締結具の存在及びその位置を注意喚起することが可能となる。
【符号の説明】
【００４３】
１、１０１、２０１、３０１、４０１、５０１            ナット
３、５３、１０３、２０３、３０３、３５３、
４０３、４５３、５０３、５５３                            本体部
５、７、５５、５７、１０５、３０５、３０７、
３５５、３５７、４０５、４０７、４５５、４５７、
５０５、５０７、５５５、５５７                              穴
２０５                                                    溝
９                                                    感水材
１３、６３、１１３、２１３、３１３、３６３、４１３、
４６３、５１３、５６３                                    側面
５１、３５１、４５１、５５１                            ボルト
【図１】
0003187710.tif 000003
【図２】
0003187710.tif 000004
【図３】
0003187710.tif 000005
【図４】
0003187710.tif 000006
【図５】
0003187710.tif 000007
【図６】
0003187710.tif 000008
【図７】
0003187710.tif 000009